(57)【特許請求の範囲】
【請求項１】
ケース内部に収納された回路基板と、この回路基板に電気コードを電気接続する接続部と、前記電気コードをケース外部に引き出し可能に設けた引き出し端部と、前記回路基板の前記接続部の周囲に少なくとも複数設けられた穴状または切欠状の係止部とを有し、前記接続部に電気接続された前記電気コードは前記回路基板の端部を経由して折り返されて前記複数の穴状または切欠状の係止部に挿入されることによって前記回路基板の表裏面に巻廻し状態に保持されると共に、前記回路基板の表裏面に蛇行状態に保持されることを特徴とする電気コードの保持構造。
【発明の詳細な説明】
【０００１】
【発明の属する技術分野】
本発明は、ケース内に回路基板を収納し、この回路基板に電気接続される電気コードをケース外に導出してなるものにおいて、この電気コードの保持構造に関するものである。
【０００２】
【従来の技術】
従来ケース内に回路基板を収納し、この回路基板に電気接続される電気コードをケース外に導出する構造としては、図６に示すようなものがあり、この場合上ケースＡと下ケースＢとが設けられ、一方のケースＡに回路基板Ｃを例えばビスにより締め付け固定し、回路基板Ｃを内側に向けた状態で他方のケースＢによって蓋がされて回路基板Ｃをケース内に収納するものである。回路基板Ｃには電気コードＤの一端部Ｄ１が半田付け等の手段によって電気接続されており、この電気コードＤの他端部Ｄ２は、下ケースＢに設けられた開口穴Ｅを介して外部に導出されており、電気コードＤの他端部Ｄ２には、図示しないコネクタ等が設けられ、他の電気接続手段と結合可能に設けられている。
【０００３】
【発明が解決しようとする課題】
しかしながら、従来構造にあっては、この電気コードＤを他の電気接続手段と組付けを行う際、または、使用状態である組み付け状態での振動等によって、ケースの外部に引き出された電気コードＤの他端部Ｄ２に対して外力，特に引張力が加わった場合、電気コードＤの一端部Ｄ１側である回路基板Ｃへの半田付け部に力が加わって、半田付け箇所の剥離や断線等による通電不良が発生する恐れがあった。
【０００４】
そこで、この問題を解決する手段として、例えば回路基板との電気接続箇所からケースの外部に引き出される手前までの間において、ケースの内部にリブやピン等の迂回部材を突設して、この迂回部材に対して電気コードを蛇行させて引き廻し配設したり、巻き付けたりして引き廻した後、ケース外部に引き出し案内した構成を採用することにより、電気コードの引き出し端部に外力が加わったとしても、外力をこの電気コードの蛇行部分若しくは巻き付け部分で受けることにより、回路基板との電気接続部分である半田付け部には直接力が加わらないようにするものもある。
【０００５】
しかしながら、上述した解決手段は、図６の従来例に示されるような、回路基板Ｃと、この回路基板Ｃと平行に対向させて設けられるケースＢの底部Ｆから、電気コードＤを外部に引き出し案内する構成にあっては、電気コードＤの引き出し方向に対してケースＢと電気コードＤが平行にラップする箇所が少ないために、ピンやリブ等を形成することができず、採用できないといった欠点を有していた。
【０００６】
また、他にケース内部に図示しない別個のコードクランプ部材を設けてコードを固定支持することも考えられるが、部品点数が増し、コストを増加させるといった問題を有している。
【０００７】
本発明は上記の問題点に鑑みなされたものであり、簡単な構成にして、電気コードの引き出し端部に外力が加わったとしても電気コードと回路基板との電気接続部分を保護することができる電気コードの保持構造を提供することを目的とする。
【０００８】
【課題を解決するための手段】
本発明は、ケース内部に収納された回路基板と、この回路基板に電気コードを電気接続する接続部と、前記電気コードをケース外部に引き出し可能に設けた引き出し端部と、前記回路基板の前記接続部の周囲に少なくとも複数設けられた穴状または切欠状の係止部とを有し、前記接続部に電気接続された前記電気コードは前記回路基板の端部を経由して折り返されて前記複数の穴状または切欠状の係止部に挿入されることによって前記回路基板の表裏面に巻廻し状態に保持されると共に、前記回路基板の表裏面に蛇行状態に保持されるものである。
【００１１】
【発明の実施の形態】
ケース内に回路基板を収納し、この回路基板に電気接続される電気コードをケース外に導出する構造において、ケース内部に収納された回路基板に、電気コードが電気接続される接続部を設けるとともに、この接続部の周囲には第１の切欠係止部及び第２の切欠係止部を設けている。電気コードは、この第１及び第２の切欠係止部に挿通されて回路基板の表裏面に交互に引き廻し案内される。電気コードは、第１及び第２の切欠係止部によって蛇行状態若しくは巻き付け状態に保持されるので、たとえ、ケース組み付け後において電気コードの引き出し端部に引っ張り力が加わったとしても、この力を電気コードの接触する第１及び第２の切欠係止部の縁部によって受け、回路基板の接続部に対し大きな力が加わることを防止できる。
【００１２】
【実施例】
以下本発明の実施例を添付図面に基づいて説明する。図１は、本発明の第１実施例を示すものであり、上ケース１と下ケース２とを設け、上ケース１に回路基板３を、固定手段であるフック４の係合により取り付け固定するようにしている。
【００１３】
電気コード５の一端側５Ａは、回路基板３に半田付接続された接続部６が形成され、電気コード５の他端側を引き出し端部５Ｂとして形成しており、この引き出し端部５Ｂは、下ケース２に設けられた引き出し穴部７を介して外部に挿出されている。回路基板３は、このようにして上ケース１に取り付けられるとともに、上下のケース１，２を閉塞することによりケース内に収容されるものである。
【００１４】
そして、本発明にあっては、このケースの内部に収納される回路基板３に対し、前述した電気コード５の一端側５Ａを半田付け接続した接続部６の周囲に少なくとも２つの穴状部からなる切欠係止部８を設けて構成している。
【００１５】
この切欠係止部８は、接続部６に近接して設けられた第１の切欠係止部８１と、この第１の切欠係止部８１から所定間隔隔てて設けられた第２の切欠係止部８２とからなるものであり、この場合、回路基板３の上面にて半田付けされた電気コード５は、下面側３１から引き出され、第１の切欠係止部８１に挿通されて上面側３２に引き廻され、その後、第２の切欠係止部８２に挿通されて再び下面側３１に引き廻される。
そして、電気コード５の引き出し端部５Ｂは、下ケース２の引き出し穴部７から外部に向けて引き出される。
【００１６】
こうして電気コード５は前記第１及び第２の切欠係止部８１，８２によって、回路基板３の表裏面に交互に引き廻し配設されて、接続部６から引き出し端部５Ｂとの間で蛇行状に保持されることになり、例えば電気コード５を他の電気接続手段と組付けを行う際、または、使用状態である組み付け状態での振動等によって、ケースの外部に引き出された電気コード５の引き出し端部５Ｂに対して外力，特に引張力が加わった場合にあっても、この回路基板３の切欠係止部８に挿通される電気コード５の蛇行部分、つまり第１及び第２の切欠係止部８１，８２の縁部に接触する電気コード５部分により外力を受けることにより、電気コード５を抜け止め状態に保持できるものであり、電気コード５の接続部６である回路基板３への半田付け箇所に加わる力を緩和でき、半田付け部の通電不良等の問題を解決することができる。
【００１７】
また、この第１実施例では、外力が直接加わる前記回路基板３の第２の切欠係止部８２の近傍に前記回路基板３に突き当て支持可能な補強部材９を下ケース２から一体的に突き出し形成している。
【００１８】
従って、下ケース２から引き出し穴部７を介して外部へと導出される電気コード５の引き出し端部５Ｂに、その外部側から引っ張り力が加わって、回路基板３の第２の切欠係止部８２の端縁部分に前記引っ張り力による応力が加わったとしても、前記補強部材９によって回路基板３を支持して曲げを防止して保護することが可能となり、回路基板３の割れや回路基板３上の導電パターンの断線等を未然に防ぐことができる。
【００１９】
図２及び図３は、本発明の第２実施例を示すものであり、接続部６に近接して設けられた第１の切欠係止部８１と、この第１の切欠係止部８１から所定間隔隔てて設けられた第２の切欠係止部８２とを設け、この場合、回路基板３の下面側３１にて半田付けされた電気コード５は、上面側３２から引き出され、回路基板３の端部３Ｅを経由して折り返されて回路基板３の下面側３１から第１の切欠係止部８１に挿通されて上面側３２に引き廻され、その後、第２の切欠係止部８２に挿通されて再び下面側３１に引き廻されるよう構成したものである。
【００２０】
こうして電気コード５は、第１の切欠係止部８１と回路基板３の端部３Ｅとの間で回路基板３の表裏面に交互に引き廻し配設され、更に、前記第１及び第２の切欠係止部８１，８２によって、回路基板３の表裏面に交互に引き廻し配設され、接続部６から引き出し端部５Ｂとの間で巻廻し状態かつ蛇行状態に保持されることになり、例えば電気コード５を他の電気接続手段と組付けを行う際、または、使用状態である組み付け状態での振動等によって、ケースの外部に引き出された電気コード５の引き出し端部５Ｂに対して外力，特に引張力が加わった場合にあっても、外力をこの回路基板３の第１及び第２の切欠係止部８１，８２に挿通される電気コード５の蛇行部分、及び第１の切欠係止部８１と回路基板３の端部３Ｅとの間で折り返された巻廻し部分にて受けて、電気コード５を抜け止め状態に保持できるものであり、電気コード５の接続部６である回路基板３への半田付け箇所に加わる力を緩和でき、半田付け部の通電不良等の問題を解決することができる。
【００２１】
図４は、本発明の第３実施例を示すものであり、接続部６を挟んでその両側に第１の切欠係止部８１及び第２の切欠係止部８２を設けたものである。
この場合、回路基板３の下面３１にて半田付けされた電気コード５は、上面側３２から引き出され、第１の切欠係止部８１に挿通されて下面側３１に引き廻され、その後、第２の切欠係止部８２に挿通されて再び上面側３２に引き廻される。そして、さらに再び第１の切欠係止部８１に挿通されて下面側３１に引き廻されるよう構成したものである。
【００２２】
こうして電気コード５は、第１の切欠係止部８１及び第２の切欠係止部８２との間で巻き付けられることにより、回路基板３の表裏面に交互に引き廻し配設されるものであり、他の実施例と同様の効果を得ることができる。
【００２３】
図５は、本発明の第４実施例を示すものであり、接続部６に近接して設けられ、回路基板３の端部を切り欠いて形成した第１の切欠係止部８１と、この第１の切欠係止部８１から所定間隔隔てて設けられ、第１の切欠係止部８１と同様回路基板３の端部を切り欠いて形成した第２の切欠係止部８２とを設けたものである。
【００２４】
この場合、回路基板３の下面３１にて半田付けされた電気コード５は、上面側３２から引き出され、回路基板３の端部３Ｅを経由して折り返されて回路基板３の下面側３１から第１の切欠係止部８１にその切欠係止部８１の開口側から挿通させて上面側３２に引き廻され、その後、第２の切欠係止部８２にその切欠係止部８２の開口側から挿通させて再び下面側３１に引き廻されるよう構成したものである。
【００２５】
こうして電気コード５は、第１の切欠係止部８１及び回路基板３の端部３Ｅとの間で回路基板３の表裏面に交互に引き廻し配設され、更に、前記第１及び第２の切欠係止部８１，８２によって、回路基板３の表裏面に交互に引き廻し配設され、接続部６から引き出し端部５Ｂとの間で巻廻し状態かつ蛇行状態に保持されることになり、例えば電気コード５を他の電気接続手段と組付けを行う際、または、使用状態である組み付け状態での振動等によって、ケースの外部に引き出された電気コード５の引き出し端部５Ｂに対して外力，特に引張力が加わった場合にあっても、外力をこの回路基板３の第１及び第２の切欠係止部８１，８２に挿通される電気コード５の蛇行部分、及び第１の切欠係止部８１と回路基板３の端部３Ｅとの間で折り返された巻廻し部分にて受けて、電気コード５を抜け止め状態に保持できるものであり、電気コード５の接続部６である回路基板３への半田付け箇所に加わる力を緩和でき、半田付け部の通電不良等の問題を解決することができる。
【００２６】
この第４実施例によれば、第１及び第２の切欠係止部８１，８２を回路基板３の端部を切り欠くことにより形成したので、電気コード５を回路基板３に引き廻す際には、電気コード５を回路基板３の側方から切欠係止部８１，８２に入り込ませるだけでよく、切欠係止部８１，８２に対し電気コード５の途中部分から挿通させることができ、前述した実施例の作用効果に加え、組み付け時における電気コード５の引き廻しの簡素化が計れるものである。
【００２７】
なお、本発明の実施例においては、接続部６すなわち電気コード５の回路基板３への電気接続は半田付けにより行っていたが、例えばコネクタによるものや、加締めや熱圧着等による電気接続手段であってもよい。
【００２８】
また、本実施例にあっては、上ケース１と下ケース２とからなる回路基板３の収納構造であったが、上ケースまたは下ケースのみにて回路基板の一面側のみを覆いかぶせたものであってもよい。
【００２９】
また、切欠係止部８にあっては、回路基板３上の形成位置に応じてそれぞれ穴状，切欠状等の選択を行えばよく、また、その形状や個数においても適宜選択すればよいものである。
【００３０】
【発明の効果】
以上本発明によれば、簡単な構成にして、電気コードの引き出し端部に外力が加わったとしても電気コードと回路基板との電気接続部分を保護することができる電気コードの保持構造を提供することができる。
【図面の簡単な説明】
【図１】本発明の第１実施例を示す断面図である。
【図２】本発明の第２実施例の要部を示す断面図である。
【図３】本発明の第２実施例における要部を示す下面側から見た斜視図である。
【図４】本発明の第３実施例の要部を示す断面図である。
【図５】本発明の第４実施例の要部を示す下面側からみた斜視図である。
【図６】従来例を示す断面図である。
【符号の説明】
１          上ケース
２          下ケース
３          回路基板
５          電気コード
５Ｂ        引き出し端部
６          接続部
８          切欠係止部
８１        第１の切欠係止部
８２        第２の切欠係止部
９          補強部材
【図１】
0003542000.tif 000002
【図２】
0003542000.tif 000003
【図３】
0003542000.tif 000004
【図４】
0003542000.tif 000005
【図５】
0003542000.tif 000006
【図６】
0003542000.tif 000007